【事件の表示】
　特願２０１０−　２０３４６「熱音響装置」拒絶査定不服審判事件〔平成２２年　９月１６日出願公開、特開２０１０−２０６７８５〕について、次のとおり審決する。
【結　論】
　本件審判の請求は、成り立たない。
【理　由】
第１　手続の経緯 
　本願は、平成２２年２月１日（パリ条約による優先権主張２００９年２月２７日、中華人民共和国）の出願であって、平成２４年３月２８日付けで拒絶理由が通知され、同年７月３日付けで手続補正され、同年７月２６日付けで最後の拒絶理由が通知され、同年９月２８日付けで手続補正されたが、同年１０月１７日付けで補正の却下の決定がなされるとともに、同日付けで拒絶査定がなされ、これに対し、平成２５年２月２２日に拒絶査定不服の審判が請求されるとともに、同日付けで手続補正され、同年４月１５日付けで審尋がなされ、同年７月１１日に回答書が提出されたものである。
 　 
第２　補正却下の決定 
［補正却下の決定の結論］
　平成２５年２月２２日付けの手続補正を却下する。 
　
［理由］ 
１．本願発明と補正後の発明 
　上記手続補正（以下、「本件補正」という。）は本件補正前の平成２４年７月３日付け手続補正書の特許請求の範囲の請求項１に記載された 
　
　「信号装置と、電力増幅器と、カーボンナノチューブ構造体を含む音波発生器と、を含み、
前記電力増幅器は前記信号装置と電気的に接続され、
　前記電力増幅器により、前記信号装置からの信号の出力を増幅させて、前記音波発生器へ転送し、
　前記カーボンナノチューブ構造体が少なくとも一枚のカーボンナノチューブフィルムを含み、
　前記カーボンナノチューブフィルムが、複数のカーボンナノチューブを含み、
　前記電力増幅器が、第一抵抗と、第二抵抗と、第三抵抗と、コンデンサと、三極管と、を含み、
　前記三極管が、ベースと、エミッタと、コレクターと、を含み、
　前記コンデンサが、前記信号装置の信号出力端及び前記三極管のベースに接続されていて、
　ＤＣ電圧及び前記第一抵抗が、前記三極管のベースに接続されていて、
　前記三極管のベースが、前記第二抵抗に接続されていて、
　前記コレクターが、前記第三抵抗に接続されていて、
　前記第二抵抗及び第三抵抗がそれぞれ接地されていることを特徴とする熱音響装置。」
 　
という発明（以下、「本願発明」という。）を、 
　
　「信号装置と、電力増幅器と、カーボンナノチューブ構造体を含む音波発生器と、を含み、
前記電力増幅器は前記信号装置と電気的に接続され、
　前記電力増幅器により、増幅信号及びバイアス電圧を前記音波発生器に提供し、前記信号装置からの信号の出力を増幅させ、
　前記カーボンナノチューブ構造体が少なくとも一枚のカーボンナノチューブフィルムを含み、
　前記カーボンナノチューブフィルムが、複数のカーボンナノチューブを含み、
　前記電力増幅器が、第一抵抗と、第二抵抗と、第三抵抗と、コンデンサと、三極管と、を含み、
　前記三極管が、ベースと、エミッタと、コレクターと、を含み、
　前記コンデンサが、前記信号装置の信号出力端及び前記三極管のベースに接続されていて、
　ＤＣ電圧及び前記第一抵抗が、前記三極管のベースに接続されていて、
　前記三極管のベースが、前記第二抵抗に接続されていて、
　前記コレクターが、前記第三抵抗に接続されていて、
　前記第二抵抗及び第三抵抗がそれぞれ接地されていることを特徴とする熱音響装置。」
　
という発明（以下、「補正後の発明」という。）に変更することを含むものである。 
　
２．新規事項の有無、補正の目的要件について 
　本件補正は、願書に最初に添付した明細書、特許請求の範囲又は図面に記載した事項の範囲内において、補正前の特許請求の範囲の請求項１に記載された、「前記信号装置からの信号の出力を増幅させ」に関し、「増幅信号及びバイアス電圧を前記音波発生器に提供し」と限定して、特許請求の範囲を減縮するものであるから、特許法第１７条の２第３項（新規事項）及び同改正前の特許法第１７条の２第５項第２号（補正の目的）の規定に適合している。 
　
３．独立特許要件について 
　本件補正は特許請求の範囲の減縮を目的とするものであるから、上記補正後の発明が特許出願の際独立して特許を受けることができるものであるのかどうかについて以下に検討する。 
　
（１）補正後の発明 
　上記「１．本願発明と補正後の発明」の項で補正後の発明として認定したとおりである。 
　
（２）引用発明 
　原審の平成２４年７月２６日付け最後の拒絶理由に引用されたLin Xiao（他１０名）, NANO LETTERS, Flexible, Stretchable, Transparent Carbon Nanotube Thin Film Loudspeakers, 米国, American Chemical Society, ２００８年１０月２９日, Vol.8, No.12, p.4539-4545 （以下、「引用例」という。）には、図面とともに以下の事項が記載されている。 
　
イ．「ABSTRACT
We found that very thin carbon nanotube films, once fed by sound frequency electric currents, could emit loud sounds. This phenomenon could be attributed to a thermoacoustic effect. The ultra small heat capacity per unit area of carbon nanotube thin films leads to a wide frequency response range and a high sound pressure level. On the basis of this finding, we made practical carbon nanotube thin film loudspeakers, which possess the merits of nanometer thickness and are transparent, flexible, stretchable, and magnet-free. Such a singleelement thin film loudspeaker can be tailored into any shape and size, freestanding or on any insulating surfaces, which could open up new applications of and approaches to manufacturing loudspeakers and other acoustic devices.」（４５３９頁１０〜１６行）
　
訳文（イ．）「概要
　非常に薄いカーボンナノチューブの膜に可聴周波数の電流を流すと、大きな音を発生させることができることを発見した。この現象は熱音響効果によるものと考えられる。カーボンナノチューブ薄膜の単位面積当たりの熱容量が非常に小さいため、広い範囲の周波数応答および高い音圧レベルになった。この発見に基づき、実用的なカーボンナノチューブ薄膜スピーカーを製作したところ、このスピーカーは、ナノメートルの厚さの利点を持ち、透明で、柔軟性に富み、引き伸ばし可能で、磁石が不要であった。自立させるか、または遮断材表面に貼り付けて、このような単一要素の薄膜スピーカーを任意の形状および大きさにすることができ、スピーカーその他の音響装置の新たな用途および製作方法が開拓される可能性がある。」
　
ロ．「Most of the loudspeakers used today consist at least of a cone, a voice coil attached to the apex of the cone, a permanent magnet fixed to the loudspeaker’s frame, and an enclosure. By applying an audio current waveform to the voice coil, an audio frequency movement of the cone is produced due to the magnetic interaction between the voice coil and the magnet, thus reproducing the sound pressure waves. Recently we found that just a piece of carbon nanotube (CNT) thin film could be a practical magnet-free loudspeaker simply by applying an audio frequency current through it. This CNT thin film loudspeaker can generate sound with wide frequency range, high sound pressure level (SPL), and low total harmonic distortion (THD). The nanothickness CNT thin films we used are flexible, stretchable, and transparent and can be tailored into many shapes and sizes, freestanding or placed on a variety of rigid or flexible insulating surfaces. Furthermore, the CNT thin film loudspeaker has a very simple structure, without magnets and moving parts. Such a single-element thin film loudspeaker might open up new applications of and approaches to manufacturing loudspeakers and other acoustic devices.
　The CNT thin film can be directly drawn out from CNT arrays.1-6 Here we use superaligned CNT arrays on a 4 in. wafer to draw out continuous CNT thin films up to 10 cm wide (Figure 1a).4-6 The CNT thin film is composed of CNTs around 10 nm in diameter, which are sparsely parallel-aligned in the drawing direction (Figure 1b). It is tens of nanometers thick, extremely lightweight (typical mass per unit area is 1.5 μg/cm2), transparent (78% at 550 nm for a single-layer CNT thin film), and conductive (typical sheet resistance is around 1 kΩ per square for a single-layer CNT thin film). The ac impedance of a CNT thin film is pure resistance and shows no frequency dependence within 1 MHz. (See Supporting Information Figure S1.)
　 The as-drawn CNT thin film was directly put on two electrodes, forming a simple loudspeaker, as shown in Figure 1a. Several CNT thin films can be put together to make a large area loudspeaker. Figure 1c shows an A4 paper size loudspeaker. Furthermore, the CNT thin films can be tailored into some arbitrary shapes or put on some arbitrarily curved surfaces to make loudspeakers with special functions. Figure 1d shows the cylindrical cage-like CNT thin film loudspeaker, which can emit sound in all directions. Simply by applying a sinusoidal voltage across the two electrodes, one can hear clear and loud tones emitted from the CNT thin film.
　Since our CNT thin film loudspeakers can produce sounds as loud as a commercial voice-coil loudspeaker, their audio performances can be directly tested by using a conventional audio analyzer. As shown in Figure 2a, we embedded the CNT thin film loudspeakers (dimensions 3 cm by 3 cm) in the central hole of a baffle plate. A sheet of sound absorption material was placed at the rear side of the loudspeaker to avoid reflection interference. A microphone (BK, model 4939) was put in front of the loudspeaker. The distance between the loudspeaker and microphone is 5 cm. The frequency response was measured by an audio analyzer (Audio Precision 2722).
　We have made two kinds of CNT thin film loudspeakers for testing, i.e., one-layer and four-layer loudspeakers. The one-layer speaker was made by putting one CNT thin film on two electrodes. By stacking four layers of CNT thin films on the electrodes, we made the four-layer loudspeakers. It is easy to understand that the sheet resistance of the fourlayer CNT loudspeaker is 4 times smaller than that of onelayer CNT loudspeaker.
　Figure 2b shows the SPL versus frequency for one-layer (red) and four-layer (blue) CNT loudspeakers with the same input voltage (50 Vrms). Their input powers are 3 and 12 W, respectively. From Figure 2b, we can see that the SPL increases with increasing frequency. If we do linear fitting for the SPL curves, the result is SPL ∝ f 0.7-0.8, in which f is the frequency. The total harmonic distortion is extremely small except for the low-frequency end, where the environment noise is severe. It is also found that the sound pressure is proportional to the input power, as is shown in Figure 2c. The more the power input, the higher the output sound pressure level. We have tested the maximum input power densities of our CNT loudspeakers, 5 × 104 W/m2 for onelayer and 1 × 105 W/m2 for four-layer CNT loudspeakers. Since there is no limitation on their size, CNT loudspeakers with huge loudness can be practically realized.」（４５３９頁左欄１７行〜４５４０頁右欄３行）
　
訳文（ロ．）「現在使用されているほとんどのスピーカーは最低でも、コーン、コーンの頂点に取り付けられるボイスコイル、スピーカーのフレームに固定される永久磁石およびエンクロージャーから構成されている。ボイスコイルに音声の電流波形を印加すると、ボイスコイルと磁石の間の磁気相互作用によって可聴周波数のコーンの運動が生み出されるので、音圧波形が復元される。単に可聴周波数の電流を流すことによって、たった1枚のカーボンナノチューブ(CNT)の薄膜が、実用的で磁石が不要なスピーカーになることを最近発見した。このCNT薄膜スピーカーは、広い周波数の範囲、高い音圧レベルおよび小さな高調波歪(THD)音を発生することができる。使用したナノスケール厚みのCNT薄膜は、柔軟性があり、引き伸ばすことができ、透明であり、自立しているかまたは様々の硬軟いずれかの遮断材表面に貼り付けて、多様な形状および寸法に仕上げることができる。更に、CNT薄膜スピーカーは、磁石および可動部分が無く、構造が非常に簡単である。この様な単一要素の薄膜スピーカーにより、スピーカーその他の音響装置の新たな用途および製作方法が開拓される可能性がある。
　CNTアレイから直接CNT薄膜を引き伸ばすことができる1-6。ここでは4インチウエハ上の超配向CNTアレイを使用して、最大幅10cmの連続CNT薄膜に引き伸ばした(図1a)4-6。CNT薄膜は直径約10nmのCNTから構成され、低密度で延伸方向に平行に整列している(図1b)。厚さが数十ナノメートル、超軽量(代表的な単位面積当り質量は1.5μg/cm2)、透明(単層CNT薄膜について、550nmで78%)であり、伝導性(代表的なシート抵抗は単層CNT薄膜について平方当り約1kΩ)を有している。CNT薄膜の交流抵抗は1MHz以下で純粋な抵抗になり、周波数依存性が見られない(サポート情報の図S1 を参照)。
　図1aに示す通り、引き伸ばしたCNT薄膜を直接2個の電極に貼り付け、シンプルなスピーカーを作った。数枚のCNT薄膜をまとめて、大面積のスピーカーを製作することができる。図1cにA4用紙サイズのスピーカーを示す。更に、CNT薄膜を任意の形状にするか、任意の曲面に貼り付けて、特別な機能のスピーカーを製作することができる。図1dに円柱籠状のCNT薄膜スピーカーを示しており、全方向に音を出すことができる。2個の電極に正弦波の電圧を印加するだけで、CNT薄膜から流れ出る明瞭で大きな音を聞くことができる。
　CNT薄膜スピーカーは、市販のボイスコイルスピーカーと同じ大きさの音を出すことができるので、通常のオーディオアナライザーを使用して、オーディオ性能を直接試験することができる。図2aに示す通り、CNT薄膜スピーカー(寸法3cm×3cm)をバッフル板の中央の穴に入れた。反射波の干渉を防止するために、スピーカーの背後に1枚の吸音材を設置した。マイクロホン(BK社製4939型)をスピーカーの前面に置いた。スピーカーとマイクロホンの間の距離は5cmである。オーディオアナライザー(Audio Precision 2722)によって周波数応答を計測した。
　試験用に2種類のCNT薄膜スピーカー、即ち1層および4層のスピーカーを製作した。1枚のCNT薄膜を2個の電極に貼り付けることによって１層スピーカーを製作した。4層のCNT薄膜を電極に積み重ねることによって、4層スピーカーを製作した。4層CNTスピーカーのシート抵抗が1層CNTスピーカーの4分の1になることは簡単に分かる。
　図2bに同じ入力電圧 (50Vrms) での周波数に対する1層スピーカー(赤色)および4層スピーカー(青色)のSPLを示す。入力は各々、3Wおよび12Wである。図2bから、SPLは、周波数の上昇とともに、上昇することが分かる。SPL曲線に線形フィッティングを行うと、結果は、周波数をfとすると、SPL∝f0.7-0.8になる。全高調波歪率は、環境騒音が大きい低周波数端部を除いて、非常に小さい。図2cに示す通り、音圧が入力に比例することも発見した。入力が大きいほど、出力音圧レベルが高くなる。CNTスピーカーの最大入力密度を試験したところ、1層CNTスピーカーについては5×104W/m2および4層CNTスピーカーについては1×105W/m2であった。CNTスピーカーの大きさには制限が無いので、大音量のCNTスピーカーを実際に実現することができる。」
　
ハ．「Despite the excellent acoustic performance of the CNT loudspeaker, it has a drawback. As shown in Figure 2d, the output frequency doubles that of the input. The human voice and music sound strange when a commercial bipolar audio amplifier is used to drive the CNT thin film loudspeaker. A simple solution is to add a direct current bias I0 to the alternating current for driving such CNT loudspeakers. To achieve this, we use a very simple single transistor amplifier to drive our CNT loudspeaker, which can reproduce the input sound wave signals faithfully. The schematic circuit is shown in Figure S2 of the Supporting Information. Note that the impedance of the CNT loudspeaker is pure resistance (see Supporting Information, Figure S1), and the design of the amplification circuit is much simpler than that for inductive voice-coil loudspeakers. Also the resistance can be tuned to any value to meet the requirement of driving circuits, simply by adjusting the position of the electrodes (e.g., the resistance of the loudspeaker shown in Figure 1c is 500 Ω, in Figure 1d it is 8 Ω).」（４５４０頁右欄４〜２２行）
　
訳文（ハ．）「CNTスピーカーの優れた音響性能にもかかわらず、欠点がある。図2dに示す通り、出力の周波数が入力の2倍になる。市販のバイポーラ―オーディオアンプを使って、CNT薄膜スピーカーを駆動すると、人の声や音楽が奇妙に聞こえる。簡単な解決策は、そのようなCNTスピーカーを駆動する交流電流に直流バイアスI0を印加することである。そのために、非常に簡単な単一トランジスタ増幅器を用いて、CNTスピーカーを駆動すると、入力の音波を忠実に再現することができる。サポート情報の図S2に回路図を示す。CNTスピーカーのインピーダンスが純粋な抵抗であり(サポート情報の図S1を参照)、アンプ回路の設計はインダクタのボイスコイルスピーカーよりはるかに簡単である。また、単に電極の位置を調整することによって、抵抗を任意の値に調整し、駆動回路の要求を満たすことができる（例えば、図1cに示すスピーカーの抵抗は500Ωであり、図1dでは8Ωである）。」
　
　上記引用例の記載及び図面並びにこの分野における技術常識を考慮すると、上記ロ．における「図1aに示す通り、引き伸ばしたCNT薄膜を直接2個の電極に貼り付け、シンプルなスピーカーを作った。」との記載、及び図1aによれば、音響装置は、CNT薄膜を含むスピーカーを備えている。
　また、上記ハ．における「CNTスピーカーの優れた音響性能にもかかわらず、欠点がある。図2dに示す通り、出力の周波数が入力の2倍になる。市販のバイポーラ―オーディオアンプを使って、CNT薄膜スピーカーを駆動すると、人の声や音楽が奇妙に聞こえる。簡単な解決策は、そのようなCNTスピーカーを駆動する交流電流に直流バイアスI0を印加することである。そのために、非常に簡単な単一トランジスタ増幅器を用いて、CNTスピーカーを駆動すると、入力の音波を忠実に再現することができる。」との記載によれば、CNTスピーカーは、単一トランジスタ増幅器を用いて、CNTスピーカーを駆動する交流電流に直流バイアスI0を印加し、増幅している。ここで、CNTスピーカーは、CNTスピーカーを駆動する交流電流を入力しているから、単一トランジスタ増幅器と電気的に接続した交流電流出力装置を備えていることは明らかである。
　また、上記ロ．における「CNT薄膜は直径約10nmのCNTから構成され、低密度で延伸方向に平行に整列している(図1b)。」との記載、及び図1bによれば、CNT薄膜は、複数のCNT（carbon nanotube）を含むことが読み取れる。
　
　したがって、上記引用例には、以下の発明（以下、「引用発明」という。）が記載されているものと認められる。
　
　「交流電流出力装置と、単一トランジスタ増幅器と、CNT薄膜を含むCNTスピーカーと、を含み、
前記単一トランジスタ増幅器は前記交流電流出力装置と電気的に接続され、
　前記単一トランジスタ増幅器により、CNTスピーカーを駆動する交流電流に直流バイアスI0を印加し、前記交流電流出力装置からの出力を増幅させ、
　前記CNT薄膜が、複数のCNTを含む、
　音響装置。」
　
（３）対比・判断 
　補正後の発明と引用発明とを対比する。 
ａ．引用発明の「交流電流出力装置」、「単一トランジスタ増幅器」、「CNTスピーカーを駆動する交流電流」、「出力」、「CNT」及び「CNTスピーカー」は、補正後の発明の「信号装置」、「電力増幅器」、「増幅信号」、「信号の出力」、「カーボンナノチューブ」及び「音波発生器」にそれぞれ相当する。
ｂ．引用発明の「CNT薄膜」は、「カーボンナノチューブフィルム」といえ、「カーボンナノチューブ構造体」に含まれる。
ｃ．引用発明の「CNTスピーカーを駆動する交流電流に直流バイアスI0を印加し」は、「CNTスピーカーを駆動する交流電流」は「増幅信号」といえ、「直流バイアスI0を印加する」ことは「バイアス電圧」を「CNT薄膜」（音波発生器）に提供することであるから、「増幅信号及びバイアス電圧を前記音波発生器に提供し」ということができる。
ｄ．引用発明の「音響装置」は、上記引用例の上記イ．における「非常に薄いカーボンナノチューブの膜に可聴周波数の電流を流すと、大きな音を発生させることができることを発見した。この現象は熱音響効果によるものと考えられる。」との記載によれば、「熱音響装置」ということができる。
　
　したがって、補正後の発明と引用発明は、以下の点で一致ないし相違している。 
　
（一致点） 
　「信号装置と、電力増幅器と、カーボンナノチューブ構造体を含む音波発生器と、を含み、
前記電力増幅器は前記信号装置と電気的に接続され、
　前記電力増幅器により、増幅信号及びバイアス電圧を前記音波発生器に提供し、前記信号装置からの信号の出力を増幅させ、
　前記カーボンナノチューブ構造体が少なくとも一枚のカーボンナノチューブフィルムを含み、
　前記カーボンナノチューブフィルムが、複数のカーボンナノチューブを含む、
　熱音響装置。」
　
（相違点）
　「電力増幅器」に関し、
　補正後の発明は、「前記電力増幅器が、第一抵抗と、第二抵抗と、第三抵抗と、コンデンサと、三極管と、を含み、前記三極管が、ベースと、エミッタと、コレクターと、を含み、前記コンデンサが、前記信号装置の信号出力端及び前記三極管のベースに接続されていて、ＤＣ電圧及び前記第一抵抗が、前記三極管のベースに接続されていて、前記三極管のベースが、前記第二抵抗に接続されていて、前記コレクターが、前記第三抵抗に接続されていて、前記第二抵抗及び第三抵抗がそれぞれ接地される」のに対し、引用発明は、その様な特定がない点。
　
　そこで、上記相違点について検討する。
　引用発明は、「単一トランジスタ増幅器」であるところ、上記引用例の上記ハ．における「非常に簡単な単一トランジスタ増幅器を用いて、CNTスピーカーを駆動すると、入力の音波を忠実に再現することができる。サポート情報の図S2に回路図を示す。」との記載において引用されるサポート情報の図S2の回路図によれば、増幅器が、第一抵抗（R1）と、第二抵抗（R2）と、第三抵抗（Re）と、コンデンサ（C1）と、npnトランジスタと、を含み、該npnトランジスタが、ベースと、エミッタと、コレクターと、を含み、コンデンサが、信号装置の信号出力端及び第四抵抗（Rb）を介し前記npnトランジスタのベースに接続されていて、ＤＣ電圧（Vc）及び前記第一抵抗（R1）が、前記npnトランジスタのベースに接続されていて、前記npnトランジスタのベースが、前記第二抵抗（R2）に接続されていて、前記エミッタが、前記第三抵抗（Re）に接続されていて、前記第二抵抗（R2）及び第三抵抗（Re）がそれぞれ接地されているものが開示されている。そして、npnトランジスタのエミッタをコレクターに換えることは適宜なし得ることであるから、補正後の発明のように「前記電力増幅器が、第一抵抗と、第二抵抗と、第三抵抗と、コンデンサと、三極管と、を含み、前記三極管が、ベースと、エミッタと、コレクターと、を含み、前記コンデンサが、前記信号装置の信号出力端及び前記三極管のベースに接続されていて、ＤＣ電圧及び前記第一抵抗が、前記三極管のベースに接続されていて、前記三極管のベースが、前記第二抵抗に接続されていて、前記コレクターが、前記第三抵抗に接続されていて、前記第二抵抗及び第三抵抗がそれぞれ接地される」ことは格別な創意工夫を要することなく容易になし得ることである。
　
　加えて、電気一般において、増幅器として、第一抵抗と、第二抵抗と、第三抵抗と、コンデンサと、npnトランジスタと、を含み、該npnトランジスタが、ベースと、エミッタと、コレクターと、を含み、コンデンサが、信号装置の信号出力端及び前記npnトランジスタのベースに接続されていて、ＤＣ電圧及び前記第一抵抗が、前記npnトランジスタのベースに接続されていて、前記npnトランジスタのベースが、前記第二抵抗に接続されていて、前記エミッタが、前記第三抵抗に接続されていて、前記第二抵抗及び第三抵抗がそれぞれ接地されているものは、例えば、原審の平成２４年７月２６日付け最後の拒絶理由に引用された特開昭６１−２６２３０５号公報（２頁左上欄１７行〜同頁右上欄５行、第１図）、特表２０００−５１３１５９号公報（Fig.9 Audio Amp. ）に開示されるように周知である。
　そうすると、当業者であれば引用発明の「単一トランジスタ増幅器」（電力増幅器）に周知の増幅器を用いて、補正後の発明のように「前記電力増幅器が、第一抵抗と、第二抵抗と、第三抵抗と、コンデンサと、三極管と、を含み、前記三極管が、ベースと、エミッタと、コレクターと、を含み、前記コンデンサが、前記信号装置の信号出力端及び前記三極管のベースに接続されていて、ＤＣ電圧及び前記第一抵抗が、前記三極管のベースに接続されていて、前記三極管のベースが、前記第二抵抗に接続されていて、前記コレクターが、前記第三抵抗に接続されていて、前記第二抵抗及び第三抵抗がそれぞれ接地される」ことは容易になし得ることである。
　したがって、上記相違点は格別のことではない。
　
　そして、補正後の発明の作用効果も、引用発明及び周知技術から当業者が容易に予測できる範囲のものである。 
 　 
　以上のとおり、補正後の発明は引用発明及び周知技術に基づいて容易に発明できたものであるから、特許法第２９条第２項の規定により、特許出願の際独立して特許を受けることができないものである。 
 　 
４．結語 
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１．本願発明 
　平成２５年２月２２日付けの手続補正は上記のとおり却下されたので、本願発明は、上記「第２　補正却下の決定　１．本願発明と補正後の発明」の項で「本願発明」として認定したとおりである。 
　 
２．引用発明 
　引用発明は、上記「第２　補正却下の決定」の項中の「３．独立特許要件について」の項中の「（２）引用発明」の項で認定したとおりである。 
 　 
３．対比・判断 
　本願発明は上記補正後の発明から当該本件補正に係る限定を省いたものである。 
　そうすると、本願発明の構成に当該本件補正に係る限定を付加した補正後の発明が、上記「第２　補正却下の決定」の項中の「３．独立特許要件について」の項で検討したとおり、引用発明及び周知技術に基づいて容易に発明できたものであるから、本願発明も同様の理由により、容易に発明できたものである。 
　 
４．むすび 
　以上のとおり、本願発明は、引用発明及び周知技術に基づいて当業者が容易に発明をすることができたものであるから、特許法第２９条第２項の規定により特許を受けることができない。 
 　
　よって、結論のとおり審決する。